(57)【要約】【課題】  こませ容器を効果的に吊り下げることができ、持ち運びに便利な天秤を提供する。【解決手段】  天秤１は、道糸に結着される垂直部２と、該垂直部の下方から側方に延出する腕部３を有する。該垂直部２の下端には、接続具４が腕部３の延伸方向にのみ揺動可能に接続されている。こませかご９は、該接続具４に着脱可能に連結される。【選択図】  図１
2009171897.tif 000002
【特許請求の範囲】
【請求項１】
道糸に連結される垂直部と該垂直部の下方から側方に延出する腕部を有する天秤において、こませ容器を保持する接続具を形成し、該接続具を上記腕部の延伸方向にのみ揺動するよう天秤に固定し、該接続具にこませ容器を着脱可能に取り付けるようにしたことを特徴とする天秤。
【請求項２】
上記接続具は、こませ容器の連結部を差し込むための差込口を有する中本体と該中本体の外周に長手方向に移動可能に嵌挿した外本体を具備し、該中本体には該差込口から一部が突出するよう係止用ボールが遊嵌され、該外本体の内面には該係止用ボールを差込口方向へ押し込む小径孔部と該係止用ボールが差込口から後退するのを許容する大径孔部が設けられていることを特徴とする請求項１に記載の天秤。
【請求項３】
上記外本体は、上記中本体の外周面に螺着されている請求項２に記載の天秤。
【請求項４】
上記外本体は、上記小径孔部が係止用ボールの外方に対応する位置に向けて移動するよう付勢手段により付勢されている請求項２に記載の天秤。
【請求項５】
上記請求項１ないし４のいずれかに記載の天秤にこませ容器を取り付けてなるこませ容器付天秤。
【発明の詳細な説明】
【技術分野】
【０００１】
本発明は、釣りに用いる天秤に関するものである。
【背景技術】
【０００２】
従来、釣りの用具として天秤が広く用いられている。この天秤は、道糸に連結される垂直部と該垂直部の下方から側方に延出しハリス等の仕掛を取り付ける腕部を有している。そして、該天秤はおもりやこませ容器を取り付けて使用するが、サルカン等を介して吊り下げているので、潮流等によりこませ容器が勝手に動き、海中に投入する際にこませ容器が流される方向と天秤の腕部の方向が全く相違してこませが無駄になったり、腕部にこませ容器がからんでしまう欠点があった。サルカン等を用いずに、こませ容器に設けた枢軸に針金製の天秤を回動自在に取り付けたこませかごも知られている（例えば、特許文献１参照）。このような構成にすれば、こませ容器と天秤に設けた仕掛は同じ方向に移動するが、上記特許文献１に記載の如き天秤では、天秤とこませかごが分離できないし、上記腕部が一般に長い針金状に形成されているから、持ち運びの際に大変不便であり、そのためこませかごを特別の構造に形成しなければならなかった。また、こませ容器等は既に多数用いられているが、上記特許文献１に記載の如きこませかごでは、既存のこませ容器等を使用できず、不経済であった。
【特許文献１】特開平９−２３３９８２号公報（請求項１、段落０００３、図面）
【発明の開示】
【発明が解決しようとする課題】
【０００３】
本発明が解決しようとする課題は、持ち運びに便利で、好ましくは既存のこませ容器等を使用できる天秤を提供することである。
【課題を解決するための手段】
【０００４】
本発明によれば、道糸に連結される垂直部と該垂直部の下方から側方に延出する腕部を有する天秤において、こませ容器を保持する接続具を形成し、該接続具を上記腕部の延伸方向にのみ揺動するよう天秤に固定し、該接続具にこませ容器を着脱可能に取り付けるようにしたことを特徴とする天秤が提供され、上記課題が解決される。
【０００５】
また、本発明によれば、上記接続具として、こませ容器の連結部を差し込むための差込口を有する中本体と該中本体の外周に長手方向に移動可能に嵌挿した外本体を具備し、該中本体に該差込口から一部が突出するよう係止用ボールを遊嵌し、上記外本体の内面に該係止用ボールを差込口方向へ押し込む小径孔部と該係止用ボールが差込口から後退するのを許容する大径孔部を設けた天秤が提供され、好ましくは、該外本体は、上記中本体の外周面に螺着され、または、上記小径孔部が係止用ボールの外方に対応する位置に向けて移動するよう付勢手段により付勢される。さらに、上記天秤に上記こませ容器を着脱可能に取り付けてなるこませ容器付天秤が提供され、上記課題が解決される。
【発明の効果】
【０００６】
本発明は、上記のように構成され、道糸に連結される垂直部と該垂直部の下方から側方に延出する腕部を有する天秤において、こませ容器を保持する接続具を形成し、該接続具を上記腕部の延伸方向にのみ揺動するよう天秤に固定し、該接続具にこませ容器を着脱可能に取り付けるようにしたので、こませ容器は常に天秤に設けた仕掛と同じ向きに揺動するから、こませを効率よく仕掛方向に散布することができ、また、こませ容器が天秤に絡まないので、こませが無駄になることもない。その上、該接続具からこませ容器を取り外すことができるから、持ち運ぶ際にはこませ容器と天秤を分離して携行すれば、場所をとらず便利である。
【０００７】
また、既存のこませ容器の多くはサルカン等を取り付ける連結孔が形成された連結部を有しているから、上記連結部を差し込むための差込口を有する接続具を設けて該こませ容器を着脱可能に連結するようにすれば、既存のこませ容器を使用することができ、経済的である。この際、上記接続具を差込口を有する中本体と該中本体の外周に嵌着する外本体を設け、該差込口から一部が突出するよう係止用ボールを遊嵌し、該係止用ボールの出没を上記外本体で制御するようにすれば、該外本体の移動によりこませ容器を容易に着脱することができる。
【発明を実施するための最良の形態】
【０００８】
釣り用の天秤は、道糸に連結される垂直部と該垂直部の下方から側方に延出する腕部を有しているが、本発明は、公知の各種天秤に適用することができる。図１は片天秤式の天秤に適用した実施例を示し、天秤１は、道糸（図示せず）に連結される垂直部２と、該垂直部２の下方から側方に延出しハリス等の仕掛を取り付ける腕部３を有する。両天秤式の天秤の場合には、腕部が垂直部の両側に延出している。
【０００９】
上記天秤１には、上記腕部３の延伸方向にのみ揺動するよう接続具４が固定されている。該接続具４は、天秤の適所に固定することができ、図１に示す実施例では、垂直部２の下方に延出する取付杆５に取り付けてあるが、両天秤式の天秤の場合には、いずれか一方の腕部に取り付けるようにしてもよい。接続具が腕部の延伸方向にのみ揺動するよう固定する方法として、図に示す実施例では、接続具４の図において上方に挿入溝６を設け、該挿入溝６に上記取付杆５の下端に腕部３の延伸方向に沿って巻回するリング状の屈曲部７を挿入し、ピン８で軸着することにより固定されている（図３）。図示の構造に替えて、その他適宜の固定方法を用いてもよい。
【００１０】
上記接続具４には、こませ容器が着脱可能に取り付けられる。こませ容器としては、図１及び図２に示すように、こませかご９やこませびし１０が知られているので、好ましくは、これら既存のこませ容器を着脱可能に取り付けることができる構成を採用するとよい。一般に、こませかご９の連結部１１にはサルカン等を取り付ける連結孔１２が形成されたり、こませびし１０の頂部には連結リング１３が形成されているので、本実施例における接続具４は、これらの連結部１１や連結リング１３を利用して既存のこませかご９やこませびし１０を取り付けることができるよう形成されている。
【００１１】
上記接続具に上記こませ容器の連結部等を着脱可能に連結するには、ボルトナットや適宜のカップリング、ピン等を用いることができるが、図３に示す実施例においては、中本体１４と該中本体１４に螺着される外本体１５を具備する接続具４を用いている。図３において、中本体１４の下方には、略扁平状に形成された上記連結部１１や上記連結リング１３を回り止めした状態で差し込めるよう下方に開口し断面が略矩形状の差込口１６が形成されている。該中本体１４に形成した孔１７には、上記差込口１６から一部が突出するよう係止用ボール１８が遊嵌されている。上記外本体１５の内面には、該係止用ボール１８を差込口１６方向へ押し込む小径孔部１９と該係止用ボール１８の後退を許容する大径孔部２０が設けられている。
【００１２】
上記の構成により、上記係止用ボール１８の外方に大径孔部２０が対応している状態（解除状態）において、既存のこませかご９の連結部１１を差込口１６に差し込むことができ、その状態で外本体１５を回していくと、小径孔部１９が係止用ボール１８を半径方向に移動させ、該係止用ボール１８が連結孔１２に係合するから、こませかご９の連結部１１をロックすることができる（ロック状態）。こませかご９に替えてこませびし１０の連結リング１３を上記差込口１６に差し込んだ場合にも、ほぼ同様に該連結リング１３内に係止用ボール１８が係合して該連結リング１３をロックすることができる。
【００１３】
一方、持ち運ぶ場合には、上記外本体１５を逆方向に回し、大径孔部２０を係止用ボール１８の外方に対応させれば、該係止用ボール１８は連結孔１２から脱出するので、こませかご９を接続具４から取り外すことができ、天秤とこませ容器を別々に携行することができる（図１）。この実施例において、外本体は中本体に螺着されることにより該中本体の外周に長手方向に移動可能に挿嵌されているが、上記解除状態及び上記ロック状態でクランプ等の適宜の手段により中本体に仮固定できるようにしてもよい。
【００１４】
図５に示す実施例は、外本体２１を、小径孔部２２が中本体２３に収納され差込口２４内に突出する係止用ボール２５の外方の位置に存するようにばね２６で付勢している。このような構成によれば、着脱時に大径孔部２７が係止用ボール２５の外方に対応するよう外本体２１をばね２６に抗して移動させれば、簡単に着脱することができる。
【００１５】
図６は他の実施例を示し、こませかご２８は、断面略円形状の連結部２９を有し、その一部には環状の係合溝３０が形成されている。この実施例によれば、接続具の差込口３１の形状を略円筒形上に形成し、内部に上記図３〜図５に示す実施例とほぼ同様に係止用ボール等を設ければ、該係止用ボール等を係合溝３０に係合させてこませ容器を着脱可能に保持することができる。
【図面の簡単な説明】
【００１６】
【図１】本発明の一実施例を示す説明図である。
【図２】接続具に既存のこませかごを取り付けた状態を示す正面図である。
【図３】接続具の解除状態を示す説明図である。
【図４】接続具のロック状態を示す説明図である。
【図５】他の実施例を示す説明図である。
【図６】他の実施例を示す説明図である。
【符号の説明】
【００１７】
１  天秤
２  垂直部
３  腕部
４  接続具
９、２８  こませかご
１０  こませびし
１１、２９  連結部
１２  連結孔
１３  連結リング
１４、２３  中本体
１５、２１  外本体
１６、２４、３１  差込口
１８、２５  係止用ボール
１９、２２  小径孔部
２０、２７  大径孔部
３０  係合溝
【図１】
2009171897.tif 000003
【図２】
2009171897.tif 000004
【図３】
2009171897.tif 000005
【図４】
2009171897.tif 000006
【図５】
2009171897.tif 000007
【図６】
2009171897.tif 000008